(57)【特許請求の範囲】
【請求項１】
信号中の位置を特定するためのアドレスが付随した連続する映像信号と音声信号との少なくとも一方を含む番組の少なくとも先頭より所定の位置までの前記信号を記録した第１の記録媒体を再生する第１のアクセス速度を有する第１の信号再生手段と、
前記番組の少なくとも前記所定の位置から末尾までの前記信号を記録した第２の記録媒体を再生する前記第１のアクセス速度よりも遅い第２のアクセス速度を有する第２の信号再生手段と、
前記第１及び第２の信号再生手段を制御する制御手段と
を備え、
前記制御手段は、
前記番組の非再生時または前記第１の信号再生手段による前記番組の再生時に前記番組の早送り再生命令を受けると、前記第１の記録媒体に記録された前記番組の前記所定の位置の信号に付随したアドレスをＡｃとしたとき、前記第２の信号再生手段が前記第２の記録媒体に記録された前記番組のアドレスＡｃが付随する信号の再生を開始する位置へアクセスを行うように制御し、
前記第１の信号再生手段が早送り再生を開始してアドレスＡｃが付随する信号までの早送り再生が終了するに要する時間をｔＮとし、前記第２の信号再生手段が前記アクセスを終了しアドレスＡｃが付随する信号の早送り再生を開始するに要する時間をｔＭとしたとき、ｔＭ≦ｔＮが成り立つ場合には前記第１の信号再生手段が前記番組の早送り再生を行うように制御し、
ｔＮ＜ｔＭが成り立つ場合には、前記第１の信号再生手段が再生を開始してアドレスＡｃが付随する信号の再生が終了するに要する時間をｔＰとしたとき、ｔＭ≦ｔＰが成り立つ再生速度で前記第１の信号再生手段が前記番組の再生を行うように制御し、
前記第１の信号再生手段が再生する前記番組の信号のアドレスと、前記第２の信号再生手段が再生可能な信号のアドレスとが一致した場合に、前記第２の信号再生手段が前記番組の早送り再生を開始し出力信号として出力するよう制御する
ことを特徴とする信号再生装置。
【請求項２】
前記第１の記録媒体はハードディスクまたは半導体メモリであることを特徴とする請求項１記載の信号再生装置。
【発明の詳細な説明】
【０００１】
【発明の属する技術分野】
本発明は、複数の信号記録再生手段を用いて、映像信号および／または音声信号よりなる番組を再生する信号再生装置に関する。
【０００２】
【従来の技術】
映像および／または音声信号よりなる番組を記録し、指令に応じて再生し出力する信号再生装置は様々な方式、構成のものが提案され実用化している。前記の信号再生装置が信号を記録する手段は様々であり、一例を挙げると、ＶＴＲにみられるように巻き取り型磁気テープを記録媒体とする手段、ハードディスクドライブにみられるように磁気ディスクを記録媒体とする手段、ＲＡＭディスクドライブにみられるように半導体記録素子を記録媒体とする手段などがある。
【０００３】
上記に示した各種の記録手段は、再生を行おうとする記録信号へのアクセス速度と、信号を記録する記録容量という二つの観点から見ると、それぞれ長所、短所を有する。
すなわち巻き取り型磁気テープを用いた記録手段は、記録容量は比較的大きいという長所を有する反面、テープ中に記録してあり再生を開始しようとする信号にアクセスするために長時間に渡ってテープの巻き取りを続けねばならず、アクセス速度が遅いという短所を有する。
【０００４】
磁気ディスクを用いた記録手段は、記録容量は比較的小さいという短所を有する反面、ディスク面上を瞬時に磁気ヘッドが移動し所望の信号にアクセスできるのでアクセス速度が速いという長所がある。
また半導体記録素子を用いた記録手段は、同様に記録容量が比較的小さいという短所を有するが、機構的な方法によらず所望の信号にアクセスするのでアクセス速度は極めて高速であるという長所がある。
【０００５】
各記録手段はこのような長所・短所を持つので、例えば巻き取り型磁気テープ記録手段を用いたＶＴＲを使用するユーザは、映画などの数時間におよぶ映像・音声信号よりなる番組を記録し再生することが可能である反面、一本のビデオテープに録画された複数の番組から所望の番組を再生しようとすると、所望の番組を記録した信号の開始ポジションに再生ヘッドが位置するようにテープの巻き取り動作を開始し、それが完了するまで場合によっては長時間待たねばならない、という不便さがあった。
【０００６】
また、磁気ディスク記録手段を用いたハードディスクドライブ、あるいは半導体記録手段を用いたＲＡＭディスクドライブを使用するユーザは、アクセス速度が高速であることを利用して媒体に記録された所望の番組を比較的短時間で再生を開始し鑑賞できる、という利点がある反面、例えば映画のような数時間に及ぶ映像・音声信号の記録・再生に用いるには記録容量が不足し困難であるという不便さがあった。
【０００７】
大きな記録容量と、速いアクセス速度とを両立する記録再生手段が存在しない、という先に示した課題を解決する目的で、複数の異なるアクセス速度や記録容量を有する記録再生手段を組み合わせた、信号の記録再生装置が従来から提案されている。
例えば、特開平９−６９２７５号公報に記載の発明において、複数のアクセス速度の異なる記録再生手段を用い、信号を再生し出力する手段を信号再生の途中で切り換える記録再生装置（以下、ハイブリッド記録再生装置ともいう）が開示されている。この提案について以下で説明する。
【０００８】
上記の従来技術に係るハイブリッド記録再生装置を、図１ないし図２を用いて説明する。図１は従来技術に係るハイブリッド記録再生装置の構成図である。図２は従来技術に係るハイブリッド記憶再生装置の記録信号の配置を説明するための摸式図である。
【０００９】
まず、図１を用いて、従来技術に係るハイブリッド記録再生装置１００の構成を説明する。
図１において、ハードディスクドライブ（ＨＤＤともいう）１０１は磁気ディスク媒体を用いた記録再生手段であり、磁気ディスクであるハードディスク１０２と、ハードディスク１０２へのアクセス、信号の書き込み・再生を行うディスク制御部１０３とを含んでいる。
【００１０】
ビデオテープレコーダ（以下、ＶＴＲともいう）１０４は巻き取り型磁気テープを用いた記録再生手段であり、着脱可能な巻き取り型磁気テープであるビデオカセットテープ１０６と、ビデオカセットテープ１０６へのアクセス、信号の書き込み・再生を行うテープ制御部１０５とを含んでいる。
【００１１】
操作部１０８は操作スイッチ、リモコン等で実現された操作手段であり、ユーザがコマンドを入力し装置の操作を行う。制御部１０７はユーザが操作部１０８から入力したコマンドに応じて装置全体を制御し、特にハードディスクドライブ１０１とＶＴＲ１０４のアクセス、信号の書き込み・再生を制御する。さらに制御部１０７はハードディスクドライブ１０１およびＶＴＲ１０４が出力する再生信号を選択し、ハイブリッド記録再生装置１００の出力信号として出力端子１０９を経由して外部に出力する機能を持つ。
ユーザは出力端子１０９に例えば図示しないテレビモニタを接続し、ハイブリッド記録再生装置１００が出力する映像・音声信号を鑑賞する。
【００１２】
次に、図２を用いて、従来技術に係るハイブリッド記録再生装置１００における記録信号の配置方法を説明する。
図２において、（Ａ）はハードディスク１０２における記録信号の配置を示し、ｄ０，ｄＢ，ｄｍは信号が記録される磁気ディスク上の物理的な位置を示すポジションである。「ポジション」の意味は後記する。
【００１３】
また図２において、（Ｂ）はビデオカセットテープ１０６における記録信号の配置を示し、ｒ０，ｒｘ，ｒＢ，ｒＡ，ｒｓは信号が記録される磁気テープ上の物理的な位置を示すポジションである。
【００１４】
磁気ディスクにおける信号が記録される物理的な配置方法は図２（Ａ）に示した１次元的な直線状のものとは限らず、実際には扇型のセクタなどで実現されているが、以下の説明をより明確にするために直線状に配置された仮想的なデータ構造を用いており、図２（Ａ），（Ｂ）とも直線上の位置を示す言葉として「ポジション」を用いている。
なお、図２の（Ａ），（Ｂ）ともに記録される信号は時間順序に従って左から右に記録されるとする。
【００１５】
図２（Ｂ）において、Ｐ１，Ｐ２，Ｐ３はそれぞれが一つの番組の先頭から末尾までの信号が記録されたテープ上の領域を示す。図２（Ａ）においてｐ１，ｐ２，ｐ３はそれぞれが前記の番組Ｐ１，Ｐ２，Ｐ３の先頭部分を含む途中までの信号が記録されたディスク上の領域を示す。
なお、Ｐ１，Ｐ２，Ｐ３およびｐ１，ｐ２，ｐ３を、それぞれの領域に記録された信号あるいは番組という意味で、以下説明に用いることもある。
次に図１ないし図２を用いて、従来技術に係るハイブリッド記録装置１００の動作を説明する。
【００１６】
いま、ユーザが再生しようとする番組、例えば一本の映画が、図２（Ｂ）中のＰ１で示された領域にあらかじめ記録されているとする。
すなわち図２（Ｂ）において番組の先頭の信号がｒ０のポジションに、末尾の信号がｒＡのポジションに記録されているとする。
また、その信号はアドレスとともに記録されている。「アドレス」とは信号に付随して記録され、信号中の位置を特定するための符号であって、例えば映像信号の映像フレーム毎に付けられた符号であってもよく、アドレスを調べることによって時間順序に記録された信号の一つの部分、例えば一つの映像フレームを特定することができる。
【００１７】
また、Ｐ１で示された再生すべき信号の、先頭の信号から途中までの信号よりなる部分信号がハードディスク１０２のｐ１にも記録されている。図２（Ａ）のｐ１において、Ｐ１の先頭の信号と同じ信号がディスク上のｄ０に、Ｐ１の途中の信号と同じ信号がディスク上のｄＢのポジションに記録され、この場合はｄＢより後ろの位置には、Ｐ１の信号と同じ信号は記録されていない。
【００１８】
さらにハードディスク１０２上のｄＢのポジションに記録された信号と同一のアドレスを有する信号が、ビデオカセットテープ１０６において図２（Ｂ）のｒＢのポジションに記録されているとする。
すなわちビデオカセットテープ１０６のｒ０からｒＡまでの間に記録された一つの番組Ｐ１は、その先頭ｒ０から途中ｒＢまでに記録された信号と同じ信号がハードディスク１０２のｄ０からｄＢの間にも記録されている。
【００１９】
ところで、従来技術に係るハイブリッド記録再生装置１００において、ハードディスク１０２上のポジションであるｄ０とｄＢは次のような条件を満足している必要がある。
すなわちディスク制御部１０３がハードディスク１０２のｄ０ポジションにアクセスし信号の再生を開始しｄＢポジションまでの再生が終了するのに要する時間をｔＢとし、一方テープ制御部１０５が現在ビデオカセットテープ１０６においてアクセスしているポジション（図２（Ｂ）中のｒＳとする）から移動してｒＢのポジションの信号を再生開始するに要する時間をｔＳとすると、ｒＳがビデオカセットテープ１０６上で存在する可能性のあるすべてのポジションでｔＳ＜ｔＢを満足しなくてはならない。
この条件を満たすことによって、後で説明するようにハードディスクドライブ１０１およびＶＴＲ１０４は途切れることなく信号の再生を引き継ぐことができる。
【００２０】
次に、上記の構成と記録された信号とを有する従来技術に係るハイブリッド記録再生装置１００の動作を説明する。
再生すべき番組であるＰ１の再生を指示するコマンドをユーザが操作部１０８から入力すると、制御部１０７は、ハードディスク１０２のｄ０ポジションから信号を再生せよ、とディスク制御部１０３に指示する。
前記の指示に応じてハードディスクドライブ１０１が再生出力する信号を、制御部１０７は出力端子１０９を経由して外部に出力すると同時に、テープ制御部１０５に対して、ビデオカセットテープ１０６のｒＢポジションを再生可能な位置へアクセスせよ、と指示する。
【００２１】
なお、上記のように、番組Ｐ１を再生せよ、というコマンドに応じてハードディスク１０２のｄ０ポジションから信号の再生を開始し、同時にビデオカセットテープ１０６のｒＢポジションを再生可能な位置へのアクセスを開始するためには、従来技術の一例として示した特開平９−６９２７５号公報においては明確に記載がないものの、制御部１０７は次のような手順で制御を行う必要がある。
【００２２】
すなわち、制御部１０７内部に設けられたメモリ等に、番組を記録した信号の記録配置情報が格納されていることが必要となる。
記録配置情報とは、例えばＰ１なる番組の先頭部分ｄ０から再生出力を切り換える位置となる途中部分ｄＢまでの信号がハードディスク１０２上のどのポジションに記録されているかという情報と、切り換えるべき途中部分ｄＢの信号のアドレス（以下Ａｃとする）が何であるかという情報と、そして切り換えるべき途中部分ｒＢから番組Ｐ１の末尾ｒＡまでの信号がビデオカセットテープ１０６上のどのポジションに記録されているかという情報とである。
【００２３】
制御部１０７はＰ１を再生せよ、とのコマンドを受けると記録配置情報を参照し、番組Ｐ１を記録した部分信号がハードディスク１０２のｄ０ポジション以下ｄＢまでに記録されていることを知りｄ０からの再生と信号出力をスタートし、さらにｄＢに記録された信号のアドレスがＡｃであって同じアドレスの信号がテープ上のｒＢなるポジションに記録されていることを知る。
【００２４】
以上説明したような手段を用いて、ハードディスク１０２のｄ０ポジションから信号を再生すべくディスク制御部１０３は動作を行うが、磁気ディスクを用いた記録装置は比較的高速にアクセスを行うという特長を有し、制御部１０７からの指示に応じて比較的短時間でハードディスク１０２から再生信号の出力が開始するので、ユーザは比較的長時間のアクセス時間を要するＶＴＲを再生に用いる場合のように再生を開始するまで長時間待つことなく、比較的短時間で所望の信号を再生開始できる。
【００２５】
一方、制御部１０７は、ハードディスクドライブ１０１が再生出力する信号のアドレスと、ＶＴＲ１０４がアクセスし再生可能な信号のアドレスとを常時監視しており、ビデオカセットテープ１０６上のｒＢポジションが再生可能なようにアクセスされ、ハードディスク１０２上のｄＢポジションが再生されて二つポジションｄＢ，ｒＢのアドレスＡｃが一致した時点で、テープ制御部１０５に対して、ビデオカセットテープ１０６の信号再生を開始せよ、と指示し、ハードディスクドライブ１０１が出力する再生信号に代えて、前記の指示に応じてＶＴＲ１０４が再生出力した信号を、出力端子１０９を経由して外部に出力する。さらにハードディスクドライブ１０１の再生を停止させる。
【００２６】
ところで、ハードディスク１０２に記録された信号の先端部、後端部のポジションであるｄ０、ｄＢは先に説明した条件（ｔＳ＜ｔＢ）を満足するように設定されているので、ＶＴＲ１０４がビデオカセットテープ１０６のｒＢポジションを再生可能な位置をアクセスするのは、ハードディスク１０２のｄＢのポジションに記録された信号の再生が終了する時刻より遅れることはない。
【００２７】
そのため、ハードディスク１０２のｄＢポジションの再生が終わるよりも前に、ビデオカセットテープ１０６のｒＢポジションを再生可能な位置へのアクセスが完了し、テープ制御部１０５はそのポジションで停止し、その後ハードディスクドライブ１０１およびＶＴＲ１０４の信号アドレスが一致したときに前記のようにビデオカセットテープ１０６のｒＢポジションから再生が開始して再生信号の切り換えが行われるので、ハイブリッド記録再生装置１００は再生すべき番組Ｐ１を途中で中断することなく再生し出力することができる。
【００２８】
すなわち従来技術に係るハイブリッド記録再生装置１００によれば、一本の映画のような大容量の記録信号を、比較的高速にアクセスして再生を開始し、かつ途中で途切れることなく再生を行うことが可能である。
なお、説明を明瞭にするため、図２（Ｂ）に示すビデオカセットテープ１０６には番組Ｐ１を記録する信号がその先頭部分ｒ０から末尾部分ｒＡまでの全体が記録されているものとして説明したが、ｒ０よりｒＢポジションを再生可能な位置の直前までの信号は必ずしも記録されている必要はなく、ｒＢを再生可能な位置よりｒＡポジションまでの信号がビデオカセットテープ１０６に記録されていれば、上記の動作が可能である。
同様にハードディスク１０２上には記録配置情報に登録された再生切り換え位置のｄＢまでの信号が記録され、その後には番組Ｐ１の信号は記録されていないとしたが、記録されていても差し支えがないことは言うまでもない。
【００２９】
【発明が解決しようとする課題】
ところで前記の従来技術に係るハイブリッド記録再生装置１００は次の解決すべき課題を有する。
【００３０】
その課題とは、以下に説明する早送り再生に対応できない点である。
ＶＴＲ装置等においては、通常速度での信号再生の他に、早送り再生という動作方法がある。これは例えば通常の３倍の速さでテープを走行させ、映像と音声を３倍の速度で再生し、ユーザが短時間で番組の鑑賞を終えたり、自分が見たい場面の頭出しを行ったりするための機能である。
【００３１】
ところが前記のように、ハードディスク１０２に記録された部分信号（ｄ０からｄＢまで）は、あくまでも通常速度の再生をした場合に再生が途切れることのないだけの量であるから、番組再生の当初から早送り再生を行ったり、あるいはハードディスク１０２に記録された信号を通常速度で再生中に早送り再生に切り換えたりすると、ビデオカセットテープ１０６のｒＢポジションを再生可能な位置にアクセスが完了する以前にハードディスク１０２のｄＢポジションの再生が終わってしまう可能性があり、その場合信号の再生が途中で途切れるという不具合が生じる。
【００３２】
この不具合を避けるために、常に早送り再生を行ったとしても信号の再生が途切れることがないだけの量の部分信号をハードディスク１０２に記録しておくことは不経済であり、記録容量が比較的小さいというハードディスク１０２の特性からも現実的でなく、アクセス速度と記憶容量の異なる複数の信号再生手段を組み合わせてそれぞれの特長を生かそうとするハイブリッド記録再生装置１００のメリットを喪失することにもなる。
【００３３】
本発明は前記のような状況に鑑みてなされたものであり、発明が解決しようとする課題は、複数の信号再生手段を用いて各種の信号を再生する装置において、早送り再生を行っても信号の再生が中断することのない装置を提供することである。
【００３４】
【課題を解決するための手段】
前記課題を解決するために本発明は、信号中の位置を特定するためのアドレスが付随した連続する映像信号と音声信号との少なくとも一方を含む番組の少なくとも先頭より所定の位置までの前記信号を記録した第１の記録媒体（１０２）を再生する第１のアクセス速度を有する第１の信号再生手段（１０１）と、前記番組の少なくとも前記所定の位置から末尾までの前記信号を記録した第２の記録媒体（１０６）を再生する前記第１のアクセス速度よりも遅い第２のアクセス速度を有する第２の信号再生手段（１０４）と、前記第１及び第２の信号再生手段を制御する制御手段（１０７）とを備え、前記制御手段は、前記番組の非再生時または前記第１の信号再生手段による前記番組の再生時に前記番組の早送り再生命令を受けると、前記第１の記録媒体に記録された前記番組の前記所定の位置の信号に付随したアドレスをＡｃとしたとき、前記第２の信号再生手段が前記第２の記録媒体に記録された前記番組のアドレスＡｃが付随する信号の再生を開始する位置へアクセスを行うように制御し、前記第１の信号再生手段が早送り再生を開始してアドレスＡｃが付随する信号までの早送り再生が終了するに要する時間をｔＮとし、前記第２の信号再生手段が前記アクセスを終了しアドレスＡｃが付随する信号の早送り再生を開始するに要する時間をｔＭとしたとき、ｔＭ≦ｔＮが成り立つ場合には前記第１の信号再生手段が前記番組の早送り再生を行うように制御し、ｔＮ＜ｔＭが成り立つ場合には、前記第１の信号再生手段が再生を開始してアドレスＡｃが付随する信号の再生が終了するに要する時間をｔＰとしたとき、ｔＭ≦ｔＰが成り立つ再生速度で前記第１の信号再生手段が前記番組の再生を行うように制御し、前記第１の信号再生手段が再生する前記番組の信号のアドレスと、前記第２の信号再生手段が再生可能な信号のアドレスとが一致した場合に、前記第２の信号再生手段が前記番組の早送り再生を開始し出力信号として出力するよう制御することを特徴とする信号再生装置（１００）を提供する。
【００３５】
この構成において、前記第１の記録媒体は一例としてハードディスクまたは半導体メモリである。
【００３６】
【発明の実施の形態】
本発明の一実施の形態を図１ないし図３を用いて説明する。
本実施の形態に係る信号再生装置１００は、先に図１の構成図や図２の記録信号配置の摸式図を用いて説明した従来技術に係るハイブリッド記録再生装置１００と同一の構成および記録信号配置を用いて動作を行い、ただ制御部１０７の制御が異なるのみである。
【００３７】
そこで説明の重複を避けるため、装置の構成と記録配置についての説明は同じ内容を繰り返すことなく、従来技術に係る装置と異なる制御の内容に絞って説明する。
図３に示すフローチャート２００は、本実施の形態に係る信号再生装置１００が通常動作で信号の再生を行っている最中に、ユーザが早送り再生せよ、とのコマンドを入力したときに発生する割り込み制御の時間的な推移を示す。
【００３８】
以下の説明において信号再生装置１００は、装置に記録された番組Ｐ１を再生中であり、現時点で再生しているポジションは、図２（Ａ）においてハードディスク１０２上の領域ｐ１に含まれるｄｍポジションであるとする。
図３において、ユーザが早送り再生を開始せよ、とのコマンドを入力して割り込みが発生すると、まず最初に現在信号を再生している媒体がハードディスク１０２であるか否かを判断する(ステップＳ２０１)。Ｎ（ＮＯ）であればビデオカセットテープ１０６から信号を再生しているのであるから、通常のＶＴＲ装置における早送り再生を開始し（ステップＳ２０２）、割り込み制御から脱出する。
先に説明したようにこの場合はハードディスク１０２に記録された信号を再生中であるから、Ｙ（ＹＥＳ）に進む。
【００３９】
ステップＳ２０１でＹのとき、以下で説明する変数を用いた、ｔＭ≦ｔＮなる条件式が成り立つか否かを判断する。（ステップＳ２０３）
【００４０】
ここでｔＭは、現在のテープ制御部１０５のアクセスポジションｒｓからスタートして、図２（Ｂ）のｒＢポジションを再生可能な位置をアクセスするまでに要する時間であり、ｔＮはディスク制御部１０３が現在再生中のポジション、ｄｍから早送り再生をスタートして、上記のｒＢポジションと同一のアドレスを有する信号が記録されているハードディスク１０２のｄＢのポジションを早送り再生するに至る時間である。
【００４１】
ステップＳ２０３でＮの場合には、現時点からハードディスク１０２の早送り再生をスタートすると、ｒＢポジションを再生可能な位置がアクセスされる以前にｄＢポジションが再生されてしまい再生信号が途中で途切れることとなるので、ハードディスク１０２の再生を一時停止(ポーズ)し（ステップＳ２０４）、「早送り準備中」などの画面表示信号を出力し早送り再生開始まで待ち時間を要することを伝えて、ユーザの感じるストレスの低減をはかる。
【００４２】
画面表示信号はユーザへのメッセージを伝える単独の画面表示でもよいし、あるいは一時停止状態のハードディスク１０２が出力する静止画に重畳した画面表示でもよい。次に装置はビデオカセットテープ１０６のｒＢポジションを再生可能な位置へアクセスを開始する（ステップＳ２０６）。
さらに装置は、上記のｔＭ、すなわちｒＢポジションを再生可能な位置にアクセスするまでの時間がビデオカセットテープ１０６のアクセス動作の進展により時々刻々と小さな値となるので、ｔＭ≦ｔＮなる条件が成り立つまで監視を続けるループ制御を行う（ステップＳ２０７）。条件が成立した時点で、ステップＳ２０９へ進む。
【００４３】
一方、ステップＳ２０３でＹであれば信号の中断なしにただちに早送り再生が行えるのであるから、テープのｒＢポジションを再生可能な位置へのアクセスを開始する（ステップＳ２０８）とともに、ディスクの早送り再生をただちに開始する（Ｓ２０９）。
さらに装置はテープ制御部１０５がアクセスしている信号のアドレスの監視を続行し（ステップＳ２１０）、アクセスがｒＢを再生可能な位置に達すればアクセス動作を停止し（ステップＳ２１１）、この状態で再生信号の切り換えを待つ。
【００４４】
すなわち装置は、ハードディスク１０２から再生される信号のアドレスを監視し、ＶＴＲ１０４の早送り再生をスタートするとハードディスクドライブ１０１とＶＴＲ１０４の再生信号のアドレスがＡｃで一致するタイミングを待つ（ステップＳ２１２）。この条件が成立すれば、テープの早送り再生をスタートし（ステップＳ２１３）、その後再生信号を監視してハードディスクドライブ１０１とＶＴＲ１０４の再生信号のアドレスが同一となるのを待つ（ステップＳ２１４）。
【００４５】
同一のアドレスとなると、信号再生装置１００が出力する信号をディスク再生信号からテープ再生信号へと切り換え（ステップＳ２１５）、ディスクの信号再生を停止し（ステップＳ２１６）、割り込み制御を脱出する。
本実施の形態に係る信号再生装置（１００）は、以上説明した動作をするように構成されているので、早送り再生を行う場合でも、再生信号を途中で中断することなく出力することが可能となる。
【００４６】
なお、上記に説明した構成の他に以下のように制御を行う構成としてもよい。
すなわち図２（Ｂ）に示すビデオカセットテープ１０６上において、上記の説明でテープ制御部１０５は、ｒＢより多少時系列にさかのぼる位置ｒｘを再生可能な位置を目標位置としてアクセスを行うよう制御する。
そしてアクセスが完了した時点でテープ制御部１０５はｒｘを再生可能な位置で停止して待機しており、その後早送り再生をスタートすると、ＶＴＲ１０４がｒＢポジションを再生するのとハードディスクドライブ１０１がハードディスク１０２上のｄＢポジションを再生するのとが同時になるタイミングで、テープ制御部１０５が早送り再生をスタートするように制御する構成とする。
【００４７】
このように構成する理由は、ＶＴＲ１０４は再生を開始してからテープ走行が安定して安定な再生信号が得られるまで若干のタイムラグがあるので、早めに再生動作を開始してハードディスクドライブ１０１からＶＴＲ１０４への再生出力信号の切り換わりをより確実にするためである。
この場合、上記で説明した時間のパラメータ、ｔＭは、ビデオカセットテープ１０６上で現在テープ制御部１０５がアクセスしている位置ｒＳからｒｘポジションを再生開始する位置までアクセスを開始し、アクセスが完了するとただちに早送り再生をスタートしｒＢポジションを再生するに至る時間、として定義される。
【００４８】
また上記の説明においては、実用上頻度の大きいと思われる、あらかじめ通常速度で再生が行われている状態で早送り再生コマンドが発生した場合の制御を説明したが、その他に信号の再生が行われていない状態で、番組の先頭から早送り再生をせよ、というコマンドが発生する場合も考えられる。この場合も上記に説明した制御によって対応することができる。
【００４９】
すなわち、図３に示したフローチャートにおいて、番組Ｐ１の先頭部分を記録したポジションｄ０から早送り再生をスタートしｄＢに至るまでの時間をｔＭとし各ステップでの判断を実行し、「ディスクを再生中？」という判断（ステップＳ２０１）に対してはＹ、ステップＳ２０４ではディスク再生一時停止ではなく、何もしない（再生をスタートしない）、とし、ステップＳ２０９ではハードディスク１０２のｄ０ポジションから早送り再生をスタートする制御を行うことで、番組の先頭から早送り再生を行った場合においても信号が途切れることがない、という上記と同様の効果が得られる。
【００５０】
なお、本実施の形態に係る装置は上記の制御を行うために、制御部１０７は信号再生装置１００あるいはハードディスク１０２やビデオカセットテープ１０６に記録された記録配置情報から、ハードディスク１０２上およびビデオカセットテープ１０６上の記録信号の配置ポジションに関する情報を読み出して装置を制御するように構成されていることが必要であるのは、従来技術に係る装置において説明したのと同様であるが、本実施の形態に係る装置においてはさらに次のように構成してもよい。
【００５１】
すなわち制御部１０７の内部のメモリに前記の記録配置情報を格納するような構成とする他に、制御部１０７とは別個の記録手段、例えば半導体メモリが信号再生装置１００内部に配置され、そこに記録されていてもよいし、あるいはハードディスク１０２内部に確保された記録領域や、ビデオカセットテープ１０６におけるテープの先頭部分など特定の記録場所に記録配置情報が記録されていてもよい。
【００５２】
その他にも、ビデオカセットテープ１０６の筐体であるカセットの内部にＩＣメモリを設置して記録したり、あるいはセルビデオ（番組があらかじめ記録されて販売されるビデオテープ）等では、テープに含まれる番組の目次情報をバーコード等で表示したシールをカセットの表面に張っておき、ＶＴＲ１０４がそのシールに記載された記録配置情報を読み取ったりするように構成してもよい。
また、前記のような方法で得られた記録配置情報からＰ１を含めた再生可能な番組の一覧表示よりなるメニュー選択画面を構成し、テレビモニタ等に表示し、そのメニュー選択画面からユーザが再生すべき番組Ｐ１を選択するように構成してもよい。
【００５３】
次に、本実施の形態において早送り再生を行う際に、上記とは異なる制御を制御部１０７が行い、同様に途切れることのない再生信号を得る例を説明する。
すなわち図３のフローチャート２００中のステップＳ２０３においてＮの場合、すなわちただちにディスクの早送り再生をスタートしたのでは信号の再生が途切れてしまうときに、装置あるいはユーザが指定した早送り再生よりも遅い再生速度でディスクの再生をただちに開始する構成とする。
【００５４】
指定された早送り再生よりも遅い再生速度とは、次の条件を満たす速度である。
すなわち、既に説明した条件式におけるｔＭ（現時点からテープ上のｒＢポジションを再生開始する位置のアクセスが完了するまでの時間）と、新たにｔＰとして、現時点からある再生速度でただちに再生を開始してディスク上のｄＢが再生するに至る時間とを用いた時に、ｔＭ≦ｔＰ、が成り立つ再生速度である。
【００５５】
再生の制御は、上記の条件を満たす、指定された早送り再生より遅い一定の速度でディスクの再生を継続し、ディスクがｄＢポジションに達して装置が出力する再生信号がディスクよりテープの出力に切り換わった後、テープによって指定された速さの早送り再生を行ってもよいし、あるいは、ｔＭ≦ｔＰ、なる条件が成り立つ範囲内であれば、上記の例よりも遅い速度でディスクの再生をスタートし、テープ制御部１０５のアクセスが目標のｒＢポジションを再生開始する位置に近づくにつれて、ディスクの再生速度を徐々にあるいは段階的に上げていき、再生信号の切り換わり時点で指定された速さの早送り再生とすることにより、切り換え時の再生速度の変化が目立たなくするような構成としてもよい。
【００５６】
このような制御を行う構成とすることにより、早送り再生においても途切れることのない再生信号が得られるという先に説明した構成の場合と同様の効果が得られることに加えて、早送り再生を開始せよ、というユーザのコマンドに応じて、速度は指定された早送り再生と異なるもののただちに再生がスタートするので、ユーザが感ずるストレスが減少するという効果がある。
【００５７】
また本実施の形態の説明においては、アクセス速度と記録容量の異なる複数の信号再生手段としてハードディスクドライブ１０１およびビデオテープレコーダ１０４を用いて説明したが、本発明はこの方式にとらわれることなく、他の方式の信号再生手段を用いた場合でも発明の効果は同様に発揮される。
【００５８】
例えばアクセス速度が速く記録容量が小さい記録再生手段として、半導体メモリ等が考えられるし、アクセス速度が遅く記録容量の大きい記録再生手段として、例えば、複数の光ディスクを収納し指令に応じて特定の光ディスクの特定の記録ポジションから信号再生を行うように構成された光ディスクチェンジャ再生装置等も考えられる。
さらに番組を記録する映像および／または音声信号の信号方式やアナログ、デジタルの区別にとらわれることなく効果が発揮されることは言うまでもない。
【００５９】
【発明の効果】
以上詳細に説明したように、本発明は、アクセス速度の異なる複数の信号記録再生手段を用いて信号の再生スタート時にはアクセス速度の速い記録再生手段から信号を再生し、途中からアクセス速度が遅い記録再生手段からの再生出力に切り換える信号再生装置において、早送り再生を行っても信号の再生が中断することのない装置が得られるという効果がある。
【図面の簡単な説明】
【図１】  本願発明の一実施の形態に係る信号再生装置の概略の構成を示す構成図である。
【図２】  本願発明の一実施の形態に係る信号再生装置における記録信号の配置図である。
【図３】  本願発明の一実施の形態に係る信号再生装置における早送り再生時の割り込み制御を示すフローチャートである。
【符号の説明】
１００  信号再生装置
１０１  ハードディスクドライブ（第１の信号再生手段）
１０２  ハードディスク（第１の記録媒体）
１０３  ディスク制御部
１０４  ビデオテープレコーダ（第２の信号再生手段）
１０５  テープ制御部
１０６  ビデオカセットテープ（第２の記録媒体）
１０７  制御部
１０８  操作部
１０９  出力端子
【図１】
0004273441.tif 000002
【図２】
0004273441.tif 000003
【図３】
0004273441.tif 000004